(57)【要約】【課題】この発明は、インターネットとＩＴ技術を基盤に個人の生活歴史の時系列上で、記念するライフ・エポックを写真ないし録音をもとに、ウェーブサーバを介して、個人属性を具現する人形（パーソナリティ・ドール）の制作システムである。【解決手段】電子認証を得た顧客は、本人に関わる写真映像、録音音声及びメモリアル印刻文を制作者に送信発注し、制作者の受注確認とともに電子決済する。制作者は、受注顧客から受信した写真、録音及びメモリアル印刻文をもとに指定オプションにより、２次元ないし３次元の人形造形素材、写真転写表皮材、感知式音声再生装置、ムーブメント、メモリアルプレート、人形固定装着台座、電源装置、無線チップ、関連部品を部品メーカーから電子取引で調達して、制作工場に電子制作指図して、個別オーダー写真造形感知式音声再生装置内蔵人形をを造像し、顧客の肖像権・肖声権（声紋権）を保護しつつ、顧客属性データベースを永久保存して、顧客の生活歴史における生涯曲線上のライフ・エポック・メモリアル需要に対応する。【選択図】  図２
2004188137.tif 000002
【特許請求の範囲】
【請求項１】
（イ）    顧客指定の２次元ないし３次元デジタル処理の写真映像（１）を、人形造形素材（２）に貼付（焼付）ける写真転写表皮材（３）に転写する。
（ロ）    写真転写された表皮材（３）を人形造形素材（２）に貼付（焼付）ける。
（ハ）    顧客指定の録音音声（４）を感知式音声再生装置（５）に録音する。
（ニ）    人形造形素材（２）を固定装着する台座（６）内部に感知式音声再生装置（５）及びオプションのムーブメント（７）を装着する。
（ホ）    台座（６）の内部壁に、人形個体別データベースを組込んだ無線チップ（８）を装着する。
（ヘ）    台座（６）底面部に電池装着部（９）、電源スイッチ（１０）、スピーカー（１１）、アダプタ接続端子（１２）を装着する。
（ト）    顧客指定メモリアル印刻文（１３）をメモリアルプレート（１４）に印刻する。
（チ）    人形造形素材（２）を台座（６）に装着する。
（リ）    メモリアルプレート（１４）を台座（６）の前面部に装着する。
以上のように構成された、個別オーダー写真造形感知式音声再生装置内蔵人形造像
【請求項２】
（イ）    顧客は人形制作販売者のホームページにアクセスして、顧客属性（１５）を登録し、ＩＤ番号（１６）及びパスワード（１７）を取得する。
（ロ）    顧客は求める時点で、販売者のホームページにアクセスして、人形制作を発注する。
（ハ）    発注には、ＩＤ（１６）およびパスワード（１７）を入力し、所定の選択コースを選んで、画面誘導にしたがって人形造形対象の写真（１）及び録音音声（４）及びメモリアル印刻文（１３）を送信する。
（ニ）    販売者は所定の認証手続きを経て、発注顧客にオンライン受注通知し、決済方法の選択を求める。
（ホ）    顧客は受注通知を受信後、決済方法を販売者に返信し、前払い制で電子決済する。
（ヘ）    販売者は顧客の選択コースに応じて、受信した音声（４）をデジタル処理して、感知式音声再生装置（５）に録音し、受信した写真（１）も２次元ないし３次元ＣＧに加工して、人形造形素材（２）に貼付ける写真転写表皮材（３）に写真映像（１）を転写して、人形造体素材（２）に貼付し、個体識別の無線チップ（８）を台座（６）に装着するとともに、メモリアル印刻文（１３）をメモリアルプレート（１４）に印刻する。
（ト）    顧客の選択コースで指定された背景を配した台座（６）に人形造形素材（２）を装着し、台座前面にメモリアルプレート（１４）を装着する。
（チ）    完成した人形像は、販売者の顧客サーバに顧客属性データベース及び当該人形のメモリアルデータを組み合わせたデータベースに変換されて永久保存し、顧客の全生涯記録人形制作に対応する。
（リ）    顧客のデータベースにより受注対象の生活歴史にスライドした、時系列人形の制作にも対応する。
（ヌ）    データベースは顧客の個人格全生涯のライフエポックに関わる写映像及び録音声であり、その肖像権及び肖声権を含める個人データ流出・悪用・模倣及び著作権が侵害されないよう等販売者の十全の管理のもとで、顧客との永久双方向ネットワークを組成する。
以上のように構成された、請求項１の写真造形感知式音声再生装置内蔵人形造像ネットワークシステム。
【発明の詳細な説明】
【０００１】
【発明の属する技術分野】
この発明は、個人体、複数人体あるいは動物体の写真をデジタルデータ化し、当該デジタル写真を人形台形素材に貼付ける表皮材に転写して人形台形素材に貼付け、または人形台形素材に直接焼付けて、人形本体を造像し、さらに人形本体の中空体内ないし人形本体を固定装着する台座内部に、当該対象の音声をデジタルデータ化して録音した感知式音声再生装置を、内蔵装着し、さらに個籍データベースを組み込んだ電子チップを人形本体に装着し、台座前面部にメモリアル文字を印刻したメモリアルプレートを装着する、個別生涯歴データベース永久保存システムによる、
写真造像音声再生装置内蔵人形造像。
【０００２】
【従来の技術】
従来の人形玩具は、販売者側の仮想上の人形造像ないし実体上であっても、購買者とは直接的関係のない有名人物・動物を模した人形造像である。
また、人形体内または固定台座に音声再生装置が内蔵されているものもあるが、これも人形造像と同様に購買者とは直接関係のない仮想上の音声である。
したがって、人形購買者の人形購買動機は生活歴史上のトレンド嗜好で左右され、人形の愛玩寿命も永くもなれば短くもなる。これは購買者の嗜好が生活歴史とともに変遷があるためで、嗜好領域における購買動機にかかる仮想人形ないし音声再生装置付き人形には、好むと好まざるとを問わず避けられない嗜好寿命を内包している。  また、人形のデータベース管理及び内蔵電子チップはあくまであくまで生産者のロット管理ないし在庫販売管理手段の域を出ていないし、銘刻板も単なる当該人形の銘名である。
【０００３】
【発明が解決しようとする課題】
販売者は供給サイドから人形玩具の愛玩寿命曲線の仮説を立てて、莫大な市場調査費、開発費及び試作費を投じるため、ロットコントロールによる量産による規模の収益確保をめざす供給オリエンテッド市場を形成する合理的経営選択行動の域を出ていない。  市場には、一方に購買者の需要サイドからのニーズ・ウオンツがあるからこそ人形消費市場が成立し、販売者の供給サイドからの市場出荷もその範疇における購買者の選択肢の一つとみなせる。もし購買者の個人格に連関した人形供給システムすなわち自分史から立脚した誕生から寿老に至る生活歴史上のライフエポックを記念する写真映像及び録音音声による自分を中心とする家族の誕生・入卒業・就職・結婚・表彰・行事・文化活動等あらゆる人生画面を人形モニュメントとして供給しうるなら、購買者の人形師交流域はより広く、かつより豊かになり、購買者の人格を体現する人形として永遠に愛蔵しうる潜在化している需要オリエンテッド市場を掘り起こせる。
【０００４】
【課題を解決するための手段】
その構成を説明すると、
（イ）    インターネットから送信された写真及び録音音声を受注記録サーバに自動保存する。
（ロ）    受注記録サーバから転写機サーバに写真映像を取り込み、転写機で人形表皮材に転写する。
（ハ）    写真転写された人形表皮材を人形台形材に貼付ける。
（ニ）    受注記録サーバの録音音声を感知式音声再生装置に転録する。
（ホ）    感知式音声再生装置を人形を装着固定する台座の内部に装着する。
（ヘ）    受注記録サーバから人形発注者の基本データベースを電子チップに記録する。
（ト）    電子チップを人形装着台座内部に装着する。
（チ）    受注記録サーバから発注者指定銘刻文をメモリアルプレートに印刻する。
（リ）    メモリアルプレートを人形装着台座の前面部に貼付ける。
（ヌ）    完成した人形について、個籍データベース及び受注記録サーバの受注データベースを顧客の肖像権及び肖声権（声紋権）の運営管理にかかわる法的保護（特許権・著作権）のもとに、永久記録保存データベースに保存する。
（ル）    永久記録保存データペースの利用権限は、顧客に付与したＩＤ番号とパスワードで認証するものとし、顧客が所定手続きによる場合に限り被指名者に相続される。
【０００５】
【発明の実施の形態】
本発明の実施の形態は、販売者がホームページを開設して、インターネット上で、顧客の生活歴史にリンクした顧客に直接かかわる人形製作用の写真映像及び録音音声の提示を受信し、その写真映像により人形を制作し、録音音声を転録した感知式音声再生装置を人形体内ないし装着固定台座内部に装着する人形制作システムである。ホームページ上のコンテンツには、人形制作基本条件について、顧客の選択コースを設け、
▲１▼人形本体の個体像・複数像、全身像（立像・座像）・上半身像、素材選択（素材・貼付け  ・焼付け）
▲２▼背景有無（指定背景・見本背景）
▲３▼顧客と販売者供給見本人形との合成人形像の選択等、顧客のニーズに対応するメニューを提示する。このことにより、顧客の人生上における生活歴史の成長曲線でのその時々のライフエポックを映像及び音声で人形形態に立体具現化し、顧客にとりこれまで二次元的に分離されていた写真と音声の合成になる三次元的永久保存が実現する。
【０００６】
【発明の効果】
従来の人形カテゴリーは、制作者側の選択になる実像ないし虚像の造形物である。    また、造形人形の体内に音声再生装置が付いているものもあるが、録音音声は造形人形とは直接的に連関していない仮想音声が組み込まれている。造形人形とは直接的に連関していない仮想音声が組み込まれている。
一方、造形人形のデータ管理方法は、制作者側の生産ロットバックナンバー方式であり、個体別データが検索できる仕組みになっていない。
このため、人形購入者は制作者側の供する想像上の人形ないし実在するものの購入者とは直接関係しない有名人を模した人形を購入するなど、選択肢の幅が供給者オリエンテッドで限定され、購入者の生活歴史の局面で当該人形造形物は永く重用もされるが、おおむね顧客の生活歴史上の成長曲線上で棄却される。
それは顧客のライフエポックを具現するするものではないため、顧客の嗜好過程で人形の存在理由が失われるうらみがあった。
本発明は人形造形物に対する顧客の人間性・個性・感性・嗜好性そのものを内包する、顧客自身の生活歴史に密着した人形造形物供給システムであり、人形制作市場の死角である需要者オリエンテッドに徹した制作人形を供して、人間的な最適親和が永続継承される人形市場が創造される。
【図面の簡単な説明】
【図１】本発明の全体説明図である。
【図２】本発明の個別オーダー写真造形人形造像制作図である。
【図３】本発明の個別オーダー録音声感知式音声再生装置内蔵台座制作図である。
【符号の説明】
１は顧客提示写真映像
２は人形造形素材
３は写真転写表皮材
４は顧客提示録音声
５は録音声を転録した感知式音声再生装置
６は人形本体を固定装着する台座
７はオプションのムーブメント
８は無線チップ
９は電池装着部
１０は電源スイッチ
１１はスピーカー
１２はＡＣ／ＤＣアダプタ接続端子
１３はメモリアル印刻文
１４はメモリアルプレート
１５は顧客属性データベース
１６はＩＤ番号
１７はパスワード
１８はＡＣ／ＤＣアダプタ
【図１】
2004188137.tif 000003
【図２】
2004188137.tif 000004
【図３】
2004188137.tif 000005